(57)【要約】【課題】ＰＰバンドと梱包用バンドストッパーとを組み合わせた梱包の荷解きに際して、ＰＰバンドを切断することなく、単純な作業にて梱包用バンドストッパーの緊締を確実に解除することのできる工具を提供する。【解決手段】先端にフック状の固定爪２が設けられた２本の腕部３が把手４の前部の両端に平行して設けられ、両腕部３の間隔ｄはバンドの幅とほぼ等しいことを特徴とし、好ましくは、２本の腕部３と把手４とが交差する角度θは、固定爪２の設けられた側において１３０°〜１６０°であることを特徴とする梱包用バンドストッパーの解除具。【選択図】図１
0003208451.tif 000002
【実用新案登録請求の範囲】
【請求項１】
先端にフック状の固定爪が設けられた２本の腕部が把手の前部の両端に平行して設けられ、両腕部の間隔はバンドの幅とほぼ等しいことを特徴とする梱包用バンドストッパーの解除具。
【請求項２】
２本の腕部と把手とが交差する角度は、固定爪の設けられた側において１３０°〜１６０°であることを特徴とする請求項１に記載の梱包用バンドストッパーの解除具。
【考案の詳細な説明】
【技術分野】
【０００１】
本考案は緊締されている梱包用バンドストパーの解除具に関する。
【背景技術】
【０００２】
ＰＰバンドと称されるＰＰ（ポリプロピレン）製のバンドが荷物の梱包によく用いられている。このＰＰバンドの結束には、金属製のバンドシールが用いられることもあるが、バンド引締器と封緘器が必要である。そのため、これらの道具の必要のない手締めによる結束としてプラスチック製の梱包用バンドストッパーが用いられることが多い。このバンドストッパーは矩形の枠体と、この枠体の一辺の両角近辺に屈曲部を介して取付けられた二本の緊締杆（バンドストッパー軸）とからなり、ＰＰバンドを手作業により簡単に緊締でき、荷物などを結束することができる（特許文献１を参照）。
【０００３】
上記の梱包用バンドストッパーとＰＰバンドとを組み合わせて梱包する場合には、簡単に緊締できるだけでなく、一旦緊締したＰＰバンドは簡単に緩むことがなく、有用な梱包結束手段となる。しかしながら、荷解きに際してこの梱包用バンドストッパーの緊締を解除することは容易ではなく、通常はバンドをカッターや鋏により切断するしか方法がなかった。この場合、バンド屑の発生が避けられず、廃棄物が発生すると共に、資源の無駄となる。そのため、バンドを切断することなく、梱包用バンドストッパーによる緊締を解除して荷解きし、バンドを再使用することが望まれている。
【０００４】
このような要望に応えるため、これまでにもバンドを切断することなく、梱包用バンドストッパーを解除するための工具が提案されている。特許文献２には梱包用バンドストッパーの緊締杆を引き起こして解除するための工具が示されている。しかし、この工具は緊締杆（バンドストッパー軸）を、緊締した状態から引き起こすための工具であり、強引に引き起こす作業となり、緊締の解除作業は必ずしも容易なものではなかった。
【０００５】
また、特許文献３に示される工具は、枠体も含めてバンドストッパー全体を引き起こすための工具であり、大きな力を要せずに緊締を解除することができるが、コの字状の引っ掛け部からバンドストッパーが外れたりすることがあり、引き起こしがうまく行かなかったりすることがあり、この工具も簡単な作業という観点からは十分なものとは言えなかった。
【先行技術文献】
【特許文献】
【０００６】
【特許文献１】実公昭４３−２３９１４号公報
【特許文献２】特開２００５−６７７２５号公報
【特許文献３】特開２０１１−５７２８９号公報
【考案の概要】
【考案が解決しようとする課題】
【０００７】
本考案の課題は、ＰＰバンドと梱包用バンドストッパーとを組み合わせた梱包の荷解きに際して、ＰＰバンドを切断することなく、単純な作業にて梱包用バンドストッパーの緊締を確実に解除することのできる工具を提供することである。
【課題を解決するための手段】
【０００８】
本考案の梱包用バンドストッパーの解除具は、先端にフック状の固定爪が設けられた２本の腕部が把手の前部の両端に平行して設けられ、両腕部の間隔はバンドの幅とほぼ等しいことを特徴とし、好ましくは、２本の腕部と把手とが交差する角度は、固定爪の設けられた側において１３０°〜１６０°であることを特徴とする。
【０００９】
また、上記の解除具において、両腕部の間隔とバンドの幅とがほぼ等しいとは、両腕部間の空間部にバンドを通して通過させることができればよく、間隔と幅が寸法的に正確に一致する必要はなく、ほぼ等しければよいことを意味する。バンドはＰＰ製でありこのバンドの幅に比べ、両腕部の間隔が多少狭くても、バンドが変形し通過させることができ、逆に間隔の方が多少大きくても使用には支障がないためである。この場合寸法のずれは、腕部の間隔の寸法はバンドの幅に対して＋４ｍｍから−３ｍｍの範囲であることが好ましい。
【考案の効果】
【００１０】
前記した本考案の梱包用バンドストッパーの解除具では、ＰＰバンドを緊締し、荷物を結束している梱包用バンドストッパーの下側（荷物側）に２本の腕部を差し込み、把手を押し上げるという簡単な作業で容易に梱包用バンドストッパーを起こすことができ、緊締を解除できる。緊締を解除した後には、ＰＰバンドを切断することなく、結束を解くことができる。そして、腕部と把手とが交差する角度が１３０°〜１６０°であると、把手を押し上げる作業がより容易になる。このように本考案の解除具では、バンドストッパー本体を２本の腕で、下から持ち上げる形式となっており、バンドストッパー本体を確実に保持できるので、緊締を確実に解除することができる。
【００１１】
また、各腕部の間隔とバンドの幅とがほぼ等しいので、解除具の２本の腕部を梱包用バンドストッパーの下側に差し込む作業に際しても、ＰＰバンドを両腕部の空間部に収納して、バンドの縁部に沿って差し込むという簡易な作業となる。さらには、この差し込み作業や梱包用バンドストッパーを起こす作業に際しても、解除具が左右に振れてバンドストッパー本体から腕部が外れることがなく、正確に作業を進めることができる。
【図面の簡単な説明】
【００１２】
【図１】本考案の解除具の斜視説明図である。
【図２】２本の腕部を梱包用バンドストッパーの下側（荷物側）に差し込んだ状態の側面説明図である。
【図３】把手を押し上げて、梱包用バンドストッパーを９０°起こした状態の側面説明図である。
【考案を実施するための形態】
【００１３】
以下本考案の実施の形態につき詳細に説明をする。
【００１４】
図１は本考案の梱包用バンドストッパーの解除具１の斜視説明図である。解除具１は先端にフック状の固定爪２が設けられた２本の腕部３が把手４の前部の両端に間隔ｄでもって平行に設けられている。この間隔ｄは、図２に示す梱包用バンドストッパー１０により緊締されるＰＰバンド２０の幅とほぼ等しくなっている。そのため、ＰＰバンド２０は２本の腕部３の間に形成される空間部５をスムーズに通過することができる。また、把手４にはスリット６が設けられている。このスリット６は解除具１の軽量化やデザインにも寄与するが、後述するように、結束を解かれたＰＰバンド２０を再使用するにあたって、ＰＰバンド２０の端部２１又は２２をこのスリットに挿入し把手４に巻きつけて、バンドを引っ張りやすくするための機能も有している。
【００１５】
図２はＰＰバンド２０を緊締している梱包用バンドストッパー１０の下側に解除具１の腕部３を差し込んだ状態を示している。ＰＰバンド２０の端部２１、２２はそれぞれ枠体１１を通された後、緊締杆１２、１３にそれぞれ巻きつけられ、再度枠体１１を通された後、端部２１、２２が引っ張られることにより、ＰＰバンド２０が緊締され、荷物（図では省略している）を結束している。図２では、梱包用バンドストッパー１０の下側に腕部３が挿し込まれており、この状態から把手４を矢印の方向に押し上げることで、図３に示すように、梱包用バンドストッパー１０を９０°起こした状態とすることができる。この場合、固定爪２の部分を支点としてテコの作用により把手４を押し上げる力は小さくてもよいので、把手４を容易に押し上げることができる。そして、腕部３と把手４とが交差する角度θを１３０°〜１６０°に設定することにより、把手を押し上げる作業をより容易にすることができる。
【００１６】
図３に示すように梱包用バンドストッパー１０が９０°起こされた状態となると、起こされて上方となった緊締杆１３に巻きつけられたＰＰバンド２０は緊締が緩み、ストッパーから容易に引き抜くことができ、結束を解くことができる。こうして、結束が解かれたＰＰバンドは切断されていないため、再使用が可能となり資源の有効利用となり、ＰＰバンドの切り屑の発生もない。
【００１７】
結束の解かれたＰＰバンドを再使用するに当たり、同じくらいの大きさの荷物の梱包に再使用できるが、ＰＰバンドの結束では、ＰＰバンドの端部を引っ張って緊締する必要があるが、新品のバンドを使用する場合と異なり、端部の掴み代が短いため作業に支障をきたすが、前述したように把手４のスリット６を使用することで、この作業を容易に行うことができる。
【００１８】
梱包に用いられるＰＰバンドは幅１５ｍｍ程度のものが良く使用されるため、解除具における両腕部の間隔ｄは１５ｍｍ程度に設定されるが、１２〜１９ｍｍの範囲であれば使用できる。また、ＰＰバンドとして幅１９ｍｍ程度のものも使用されるが、間隔が広めのものであればそのまま使用できるが、幅広のＰＰバンド用として別途に間隔ｄを１６〜２３ｍｍの範囲で設定し準備することでもよい
【００１９】
解除具は、金属板を加工することで作成することができるが、材質は金属に限定されることなく、剛性の材料であればよく硬質プラスチック材料を成形することでもよい。
【００２０】
以上のように、本考案の解除具は簡単で単純な形態にもかかわらず、梱包の荷解き作業に非常に有効な工具となるものである。
【符号の説明】
【００２１】
１    解除具
２    固定爪
３    腕部
４    把手
５    空間部
６    スリット
ｄ    両腕部の間隔
θ    腕部と把手とが交差する角度
１０  梱包用バンドストッパー
１１  枠体
１２、１３  緊締杆
２０  ＰＰバンド
２１、２２  端部
【図１】
0003208451.tif 000003
【図２】
0003208451.tif 000004
【図３】
0003208451.tif 000005